(57)【要約】【課題】小銃用の復座パッドについてより単純により多様な調整を行えるようにする。【解決手段】その小銃の銃床部品３に可調固定可能な基板１と、この基板１上に可調実装された底板１９と、この底板１９に固定可能な少なくとも１個の端部部品３５と、を備える小銃特にライフル用の可調復座パッドにおいて、底板１９を連結片１６上の横軸２０周りで自在に回動できるよう配置し、基板１上における連結片１６の動きを案内部材１３，１５により案内し、連結片１６の位置を少なくとも１本の固定ネジ１８により所望位置で固定可能とする。これにより、多様な調整を単純乃至簡単に行うことができる。【選択図】図３
2006214713.tif 000002
【特許請求の範囲】
【請求項１】
その小銃の銃床部品（３）に可調固定可能な基板（１）と、この基板（１）上に可調実装された底板（１９）と、この底板（１９）に固定可能な少なくとも１個の端部部品（３５）と、を備え、小銃特にライフル用の可調復座パッドにおいて、横軸（２０）を有する連結片（１６）と、基板（１）上における連結片（１６）の動きを案内する案内部材（１３，１５）と、連結片（１６）を所望位置で固定可能な少なくとも１本の固定ネジ（１８）と、を備え、横軸（２０）周りで自在に回動できるよう底板（１９）が配置されたことを特徴とする可調復座パッド。
【請求項２】
請求項１記載の可調復座パッドにおいて、底板（１９）と連結片（１６）に挟まれた少なくとも１個の圧縮バネ（２６）と、横軸（２０）より上方にあり底板（１９）の一部である止めネジ（２９）と、を備え、圧縮バネ（２６）の作用によって、底板（１９）の前端が、連結片（１６）の表面のうち横軸（２０）より上方にある接触面（２８）へと押しつけられることを特徴とする可調復座パッド。
【請求項３】
請求項１又は２記載の可調復座パッドにおいて、横軸（２０）が底板（１９）の中心軸（２４）より上方に配置されたことを特徴とする可調復座パッド。
【請求項４】
請求項１乃至３のうち何れか一項記載の可調復座パッドにおいて、底板（１９）が横軸（２０）用の２個の横座孔（２３）を有することを特徴とする可調復座パッド。
【請求項５】
請求項１乃至４のうち何れか一項記載の可調復座パッドにおいて、基板（１）上で連結片（１６）の動きを案内する案内部材（１３，１５）が、摺動ブロック（１５）と、これと対をなすよう基板（１）に形成された縦スロット（１３）と、から構成されたことを特徴とする可調復座パッド。
【請求項６】
請求項５記載の可調復座パッドにおいて、摺動ブロック（１５）が複数個のネジ孔（１４）を有し、２本の固定ネジ（１８）をこれらネジ孔（１４）に螺着することで連結片（１６）を所望位置に固定可能なことを特徴とする可調復座パッド。
【請求項７】
請求項１乃至６のうち何れか一項記載の可調復座パッドにおいて、銃床板として構成された銃床部品（３）上で基板（１）を回転可能且つ横方向位置調整可能に位置決めするため、上部及び下部横スロット（１０）並びに固定ネジ（１１）を備えることを特徴とする可調復座パッド。
【請求項８】
請求項１乃至７のうち何れか一項記載の可調復座パッドにおいて、銃床部品（３）がその小銃の後部銃床（２）の後面に固く螺着されたことを特徴とする可調復座パッド。
【請求項９】
請求項１乃至８のうち何れか一項記載の可調復座パッドにおいて、端部部品（３５）が底板（１９）に固定可能な端面覆いであることを特徴とする可調復座パッド。
【請求項１０】
請求項２乃至９のうち何れか一項記載の可調復座パッドにおいて、端部部品（３５）と底板（１９）との固定部に何枚かのスペーサ（３６）を挟めることを特徴とする可調復座パッド。
【請求項１１】
請求項１０記載の可調復座パッドにおいて、端部部品（３５）に設けられた開口（３７）と、少なくとも１枚あるスペーサ（３６）に設けられた開口（３８）と、少なくとも１本の固定ネジ（１８）が配置される底板（１９）に設けられた開口（３９）と、を有し、端部部品（３５）の外部から固定ネジ（１８）にアクセスできるようこれら開口（３７，３８，３９）が連通形成されたことを特徴とする可調復座パッド。
【請求項１２】
請求項１１記載の可調復座パッドにおいて、端部部品（３５）に設けられた開口と、少なくとも１枚あるスペーサ（３６）に設けられた開口とが、外部から止めネジ（２９）にアクセスできるように止めネジ（２９）に対し整列されたことを特徴とする可調復座パッド。
【発明の詳細な説明】
【技術分野】
【０００１】
本発明は、請求項１の前提部分に記載の通り、小銃特にライフル用の可調復座パッドに関する。
【背景技術】
【０００２】
小銃用の復座パッドとしては特許文献１記載のものが知られている。特許文献１記載の復座パッドは競技射撃者専用に設計されたものであり、銃器検査後に可制御ブロック具により停止可能な調整機能を有しているため、競技ルールに適合しているかどうかを競技中にチェックすることができる。こうした機能を実現するため、特許文献１記載の復座パッドは、銃床の後端に固定された基板と、この基板上に可調実装された表層部品とを、備えている。この表層部品は、中央部と、蝶番等の手段によりこの中央部に固定された複数個の羽根部から、構成されている。更に、中央部と接触する面上には摺動ブロックがあり、この摺動ブロックには更に何個か（例えば２本）のネジ孔が形成されている。これらネジ孔は皿孔を有しており、またその皿孔に収まるようこのネジ孔に螺入できる何個かのスタッドネジと対をなしている。これらネジ孔及びスタッドネジを利用すれば復座パッドの横方向位置を調整することができ、またそれら２本のスタッドネジをそれ相応に調整すれば表層部品中央部を基板に対して横方向に傾げることもできる。しかしながら、横傾きの調整はやや煩わしいことであり、外部から分解すること無しには行えない。基板に対する表層部品の傾きを調整するには、固定ネジ用の穿孔部と平行な表層部品中央部との接触面上の摺動ブロック内におけるまた別の２本のスタッドネジの位置も、調整しなければならない。この調整にもそれ相応の尽力が必要である。
【０００３】
【特許文献１】独国実用新案登録出願公開第２９６０５１２０号明細書（U１）
【発明の開示】
【発明が解決しようとする課題】
【０００４】
本発明は、頭記したタイプの可調復座パッドにおいてより単純により多様な調整を行えるようにすることを、課題としてなされたものである。
【課題を解決するための手段】
【０００５】
この課題を解決するため、本発明に係る可調復座パッドは請求項１記載の特徴を有する。
【０００６】
それ以外の請求項に係る発明は、より有益な改良乃至改善を提案しまたより有益な実施形態を提供することを目的としている。
【発明の効果】
【０００７】
本発明に係る復座パッドにおいては、比較的単純なやり方で多様な調整を行うことができる。例えば、連結片を調整することで復座パッドの高さ等を変化させることができる。また、横軸周りで自在に回動できるよう底板を連結片上に配置したため、基板に対する底板の傾きひいては復座パッドのピッチ角と呼ばれる量を簡単に調整できる。更に、固定ネジ及びこれと対をなす長円孔によって、その小銃の銃床部品上で基板を調整することができる。即ち、基板を所定角度範囲内で回転させることができ且つ横方向に変位させることができるため、調整によって復座パッドのずれを解消することができる。調整用の部品は容易に操作することができまた非常に安定しているため、一旦所望の調整状態にしたらその状態は容易には変わらない。従って、所望の調整状態を永久的に保持することが可能である。
【０００８】
特に有益な実施形態としては、その前端が前方に張り出している止めネジを、底板上の横軸より上の部位に設ける実施形態がある。底板と連結片との間には少なくとも１個の圧縮バネを挟んでおき、この圧縮バネによってこの止めネジを押しつけるようにする。この止めネジを調整すれば、非常に簡単にまたそれにもかかわらず安定に、復座パッドの傾きを調整することができる。
【０００９】
横軸は、底板の中心軸より上方に配置するのが望ましい。復座時には小銃の反跳に対して復座パッドが自在回動して応ずるため、小銃の動線が所望標的面から外れにくい。
【００１０】
基板上で連結片を可動案内する案内部材は、有益な実施形態においては、摺動ブロックと、これと対をなす底板側の細長い溝から構成される。
【００１１】
復座パッドの厚み（銃長手方向寸法）を変えるには、好ましくは端面覆いとして構成されるところの端部部品とその固定先の底板との間に、何枚かのスペーサを挟めばよい。他の好適な実施形態としては、スペーサと底板と固定ネジ付の端部部品とに挿通開口を設ける実施形態がある。そのようにすれば、復座パッド調整用の固定ネジに対して外部からアクセスできるため、端面覆いを分解する必要がなくなる。
【００１２】
本発明には以上の他にも格別な特徴事項及び効果がある。それらについては、別紙図面を手助けとしつつ好適な実施形態に関する以下の説明を参照することにより、推認することができるであろう。
【発明を実施するための最良の形態】
【００１３】
図１〜図４に示す復座パッドは、銃後部の銃床部品３に可調固定された基板１を備えている。本実施形態における銃床部品３は後部銃床２の後端上に固定されており、銃床板として構成されており、後部銃床２の外側輪郭面にぴたりと被せられており、また図２に示す通りネジ４によって後部銃床２の後面に固定されている。銃床部品３の上部及び下部に形成されている挿通開口５の後部銃床２側の部分は、図３から判読できるようにそれぞれ卵形の凹部６となっている。この卵形の凹部６には、その内側輪郭面にぴたりと合う卵形外側輪郭線及びネジ孔８を有するナット７が、配置されている。
【００１４】
特に図３及び図４から看取できるように、基板１の上部及び下部には２本の固定ネジ１１用の横スロット１０がある。これら横スロット１０は、図４に示すように銃床部品３が使用する側に長円孔として形成されており、凹部１２とつながっている。銃床部品３上における基板１の固定位置乃至姿勢は、横スロット１０と、平頭ネジとして形成され対応するナット７に螺入される固定ネジ１１とを用い、調整することができる。横スロット１０の寸法は、固定ネジ１１を緩めることによって基板１を右にも左にも所定角度までなら回すことができるよう、また垂直体勢時に横方向変位させられるよう、設計されている。
【００１５】
縦スロット１３はネジ孔１４付Ｔ字状摺動ブロック１５用のスロットであり、基板１において上部横スロット１０と下部横スロット１０との間に形成されている。縦スロット１３は、図４から看取できるように、摺動ブロック１５に相応するＴ字断面の下部案内エリアと、これより広く摺動ブロック１５を挿入するのに使用できる上部導入エリアとを、有している。下部案内エリアにおいては摺動ブロック１５を上下に可動案内できる。摺動ブロック１５の後面即ち銃床部品３と逆側の面には、連結片１６が固定されている。この連結片１６は、縦スロット１３の下部案内エリア内にある２本の固定ネジ１８を緩めることで摺動ブロック１５と一体に所望位置まで上下動でき且つそれら２本の固定ネジ１８を締めることで所望位置にて固定できるよう、穿孔部１７及び２本の固定ネジ１８により摺動ブロック１５の後面に固定されている。このように、縦スロット１３及びこれと対をなす摺動ブロック１５は、基板１上で連結片１６を案内する案内部材として機能している。
【００１６】
介在片として構成されている底板１９は、連結片１６上で横ピン（横軸）２０周りに自在回動できるよう、関節によって連結されている。この構造を実現するため、連結片１６の上部には、横ピン２０を通すための横穿孔部２２を有する後方突出ストップ２１が設けられており、また底板１９には、横ピン２０を通すための２個の横座孔２３が図３及び図４から推認できるように底板１９の中心軸２４より上方に配置形成されている。図４から判読できるように、連結片１６の下部には２本の圧縮バネ２６を受け止める２個のポケット孔２５が形成されている。即ち、２本ある圧縮バネ２６それぞれの一端はこれら２個のポケット孔２５のうち対応するものによって受け止められ、他端は底板１９内側のバックオフセット面２７によって受け止められている。更に、連結片１６の横穿孔部２２より上の部分は接触面２８を有する張出部となっており、底板１９上に配置されている止めネジ２９の前端はこの接触面２８にぴたりと接触する。ネジ山付のピンとして構成された止めネジ２９は底板１９に形成されているネジ山付の貫通孔３０に螺入されており、この止めネジ２９を回すことで連結片１６に対する底板１９の傾きを調整することができる。
【００１７】
図３から判読できるように、底板１９の連結片１６側を向いた面上には、卵形の凹部３２を有する上部及び下部の通過孔３１も形成されている。更に、それら凹部３２の内部には、ナット７に位置を合わせて２本の固定ネジ３４用のナット３３が挿入されている。本構成において端面覆いとして構成されている端部部品３５は、これらナット３３及び固定ネジ３４により底板１９に固定することができる。また、端部部品３５と底板１９の間には何枚かのスペーサ３６を挟むことができ、そのようにすることによって底板１９から端部部品３５までの距離を変化させることができる。
【００１８】
固定ネジ１１及び１８は六角ソケットキャップネジとして構成されており、止めネジ２９も六角ソケットを有しているから、復座パッドの調整は１個の六角キーによって行うことができる。図２から看取できるように、端面覆いとして構成されている端部部品３５と、スペーサ３６と、固定ネジ１８及び止めネジ２９を有する底板１９には、挿通開口３７〜４１が連通形成されている。従って、固定ネジ１８及び止めネジ２９に対しては外部からアクセス可能である。
【００１９】
このように、基板１及び連結片１６を設けると共に自在回動する底板１９を設けたため、復座パッドに対して多様な調整を施すことができる。即ち、例えばネジ１１を緩めれば横スロット１０により規定されている角度範囲内で基板１を回転させることができ、また垂体勢にて横方向に変位させることができるため、横方向変位やずれ解消が可能である。他方、固定ネジ１８を緩めれば連結片１６を上方及び下方に変位させることができ、これによって復座パッドの高さを調整することができる。止めネジ２９を回せば基板１に対する底板１９の傾きを変化させることができ、それによってピッチ角を調整することができる。
【図面の簡単な説明】
【００２０】
【図１】本発明に係る復座パッドの側面図である。
【図２】本発明に係る復座パッドの縦断面図である。
【図３】図１に示した復座パッドの第１分解図である。
【図４】図１に示した復座パッドの第２伸展分解図である。
【図１】
2006214713.tif 000003
【図２】
2006214713.tif 000004
【図３】
2006214713.tif 000005
【図４】
2006214713.tif 000006